(57)【要約】      （修正有）【課題】筆記具の携帯性をより向上させることが可能な筆記具保持具を提供する。【解決手段】薄膜であって所定の大きさのシート本体２と、シート本体２の一縁に連設され、筆記具３の軸部を挿通させて保持する筒状部５ｂを備えた保持部５とを有し、シート本体２を、ポリプロピレンにより、名刺サイズまたはカードサイズと同一または略同一の大きさで構成するとともに、シート本体２と保持部５とを同一素材により連続して形成し、筒状部５ｂを筆記具３の尖鋭部３ｂが露出しないように保持する長さ寸法に形成し、保持部５の開口端縁に、筆記具３のクリップ３ａが係止される係止部５ａを形成する。【選択図】図１
0003181877.tif 000002
【実用新案登録請求の範囲】
【請求項１】
携帯機能を有し薄膜状であって所定の大きさを備えたシート本体と、前記シート本体の一縁に連設され、筆記具を保持する保持部とを有することを特徴とする筆記具保持具。
【請求項２】
前記シート本体は、携帯のために挟持または収納される機能の他、前記携帯機能以外の機能を備えていることを特徴とする請求項１に記載の筆記具保持具。
【請求項３】
前記保持部は、前記筆記具の軸部を挿通させて保持する筒状部を有することを特徴とする請求項１または請求項２に記載の筆記具保持具。
【請求項４】
前記筆記具として、クリップを備えた筆記具を用い、前記筒状部の開口端縁に、前記クリップが係止される係止部が形成されていることを特徴とする請求項３に記載の筆記具保持具。
【請求項５】
前記筒状部は、挿通された前記筆記具の尖鋭部が露出しないように保持する長さに形成されていることを特徴とする請求項３または請求項４に記載の筆記具保持具
【請求項６】
前記シート本体と前記保持部とは、同一素材により連続して形成されていることを特徴とする請求項１乃至請求項５のいずれか１項に記載の筆記具保持具。
【請求項７】
前記シート本体を、名刺サイズまたはカードサイズと同一または略同一の大きさにより構成することを特徴とする請求項１乃至請求項６のいずれか１項に記載の筆記具保持具。
【請求項８】
前記シート本体を、ポリプロピレン、塩化ビニール、ポリエチレンテレフタレート、またはポリプロピレン樹脂を主原料とする合成紙により構成することを特徴とする請求項１乃至請求項７のいずれか１項に記載の筆記具保持具。
【請求項９】
筆記具と、
薄膜状であって所定の大きさのシート本体、および前記シート本体の一縁に連設され、前記筆記具を保持する保持部を有する筆記具保持具と
を有することを特徴とする携帯用保持具付き筆記具。
【考案の詳細な説明】
【技術分野】
【０００１】
本考案は、筆記具の携帯に好適な筆記具保持具および携帯用保持具付筆記具に関する。
【背景技術】
【０００２】
一般的に、ペンや鉛筆等の筆記具を携帯するにあたっては、筆記具をペンケースに収納し、ペンケースごと持ち運ぶことが多く行われている。しかし、ペンケースを持ち運ぶには、さらにペンケースを鞄等に収納しなければならず、荷物が多くなって邪魔な場合がある等の理由から、例えば、特許文献１に示すような筆記具を保持する筆記具保持カードが考えられている。
【０００３】
前述の特許文献１に示す筆記具保持カードは、カード本体の一面に板状の筆記具を没入状態に嵌着可能な溝と、この溝に筆記具を挿入するためにカード本体の上縁に形成された挿入口と、溝の開口縁に設けられ筆記具が溝から抜け落ちてしまうことを防止する突起と、カード本体の他面に設けられ溝の底面に連通された通孔とを有している。そして、特許文献１に記載された筆記具保持カードは、定期入れやカードケース、さらには胸ポケット等に収納されて持ち運ばれることにより、筆記具の携帯性の向上を図ることができるようになっている。
【先行技術文献】
【特許文献】
【０００４】
【特許文献１】実公平２−２５３０１号公報
【考案の概要】
【考案が解決しようとする課題】
【０００５】
しかし、前述の特許文献１に示す従来の筆記具保持カードは、カード本体が板状の筆記具を嵌着可能な溝を形成するための厚みを有するように形成される必要があり、定期入れやカードケース等に収納すると、定期入れやカードケースの厚みが増してしまったり、他のカード等を収納する領域が狭くなってしまい、邪魔になってしまうおそれがあった。このため、筆記具の携帯性が低減してしまうという問題を有していた。
【０００６】
本考案はこれらの点に鑑みてなされたものであり、筆記具の携帯性をより向上させることが可能な筆記具保持具および携帯用保持具付筆記具を提供することを目的とする。
【課題を解決するための手段】
【０００７】
前記目的を達成するため、本考案に係る筆記具保持具の特徴は、携帯機能を有し薄膜状であって所定の大きさを備えたシート本体と、前記シート本体の一縁に連設され、筆記具を保持する保持部とを有する点にある。
【０００８】
この本考案に係る筆記具保持具によれば、例えば、メモ帳や本等にシート本体を挟持した場合や、カードケースや財布のポケット等にシート本体を収納した場合に、メモ帳やカードケースの厚みが増してしまったり、メモ帳やカードケースの内部において筆記具が邪魔になってしまうことなく、筆記具を携帯することができる。
【０００９】
また、前記筆記具保持具において、前記シート本体は、携帯のために挟持または収納される機能の他、前記携帯機能以外の機能を備えているとよい。このような構成を採用することにより、筆記具の携帯性を向上させることができるとともに、筆記具保持具の用途を広げることができる。
【００１０】
さらに、前記筆記具保持具において、前記保持部は、前記筆記具の軸部を挿通させて保持する筒状部を有するとよい。このような構成を採用することにより、筆記具の軸部を筒状部に挿通させて確実に保持することができる。
【００１１】
さらにまた、前記筆記具において、前記筆記具として、クリップを備えた筆記具を用い、前記筒状部の開口端縁に、前記クリップが係止される係止部が形成されているとよい。このような構成を採用することにより、クリップを係止部に係止させることができ、筆記具が保持部の内部で回転してしまうことを防止することができる。
【００１２】
さらにまた、前記筆記具保持具において、前記筒状部を、挿通された前記筆記具の尖鋭部が露出しないように保持する長さに形成するとよい。このような構成を採用することにより、筆記具の尖鋭部によって周囲の物を傷つけることなく筆記具を持ち運びすることができ、筆記具の携帯性をより向上させることができる。
【００１３】
また、前記筆記具保持具において、前記シート本体と前記保持部とを、同一素材により連続して形成するとよい。このような構成を採用することにより、筆記具保持具の製造の容易化、製造コストの低廉化を図ることができる。
【００１４】
さらに、前記筆記具において、前記シート本体を、名刺サイズまたはカードサイズと同一または略同一の大きさにより構成するとよい。このような構成を採用することにより、特に、シート本体を定期入れや、カードケース、財布等のポケットに収納することができ、携帯性を向上させることができる。
【００１５】
さらにまた、前記筆記具保持具において、前記シート本体を、ポリプロピレン、塩化ビニール、ポリエチレンテレフタレート、またはポリプロピレン樹脂を主原料とする合成紙により構成するとよい。このような構成を採用することにより、厚さに対する強度を向上させることができるとともに、筆記具保持具の製造コストの低廉化を図ることができる。
【００１６】
前記目的を達成するため、本考案に係る携帯用保持具付筆記具の特徴は、筆記具と、携帯機能を有し薄膜状であって所定の大きさを備えたシート本体、および前記シート本体の一縁に連設され、前記筆記具を保持する保持部を有する筆記具保持具とを有する点にある。
【００１７】
この本考案に係る携帯用保持具付筆記具によれば、例えば、メモ帳や本等にシート本体を挟持した場合や、カードケースや財布のポケット等にシート本体を収納した場合に、メモ帳やカードケースの厚みが増してしまったり、メモ帳やカードケースの内部において筆記具が邪魔になってしまうことなく、筆記具を携帯することができる。
【考案の効果】
【００１８】
以上述べたように、本考案に係る筆記具保持具によれば、筆記具を持ち運ぶにあたり、持ち運びに邪魔になってしまうことなく、筆記具の携帯性を向上させることができる。
【図面の簡単な説明】
【００１９】
【図１】本考案に係る筆記具保持具の一実施形態を示す斜視図
【図２】図１に示す筆記具保持具のシート本体を挟持体に挟持して筆記具を携帯する際の一例を示す斜視図
【図３】図１に示す筆記具保持具のシート本体を収納体に収納して筆記具を携帯する際の要部拡大側面図
【図４】図３に示す収納体に収納された筆記具保持具を示す側面図
【図５】図１に示す筆記具保持具における保持部の係止部を示す拡大平面図
【図６】本考案に係る筆記具保持具の他の実施形態を示す平面図
【図７】本考案に係る筆記具保持具のさらに他の実施形態を示す平面図
【図８】本考案に係る筆記具保持具のさらに他の実施形態を示す平面図
【図９】本考案に係る筆記具保持具のさらに他の実施形態を示す平面図
【図１０】本考案に係る筆記具保持具のさらに他の実施形態を示す平面図
【考案を実施するための形態】
【００２０】
以下、本考案に係る筆記具保持具の実施形態を、図１乃至図５を参照して説明する。
【００２１】
図１は、本考案に係る筆記具保持具の一実施形態を示す斜視図である。図１に示すように、本実施形態に係る筆記具保持具１は、携帯機能を有し薄膜状であって所定の大きさを備えたシート本体２と、シート本体２の一縁に連設され、筆記具３を保持する保持部５とを有している。この筆記具保持具１と筆記具３により携帯用保持具付筆記具７が構成されている。
【００２２】
シート本体２が有する携帯機能としては、筆記具保持具１を携帯するためにシート本体２が挟持または収納される機能を列挙することができる。携帯のために挟持されることとしては、例えば、図２に示すようなメモ帳Ｍのページの間に挟持されることが挙げられ、また、携帯のために収納されることとしては、図３および図４に示すようなカードケースＣのポケットに収納されることが挙げられる。この他、シート本体２を挟持する挟持体としては、手帳やノート、本等を列挙することができ、また、シート本体２を収納する収納体としては、定期入れや財布を列挙することができる。
【００２３】
また、シート本体２は、前述した携帯機能以外の機能を備えていてもよい。携帯以外の機能としては、例えばシート本体２が、フレンネルルーペ、暗記用シート、しおり、社員証等の身分証やお店等の会員証等として機能するようにしてもよく、さらにはシート本体２に広告を記載してもよく、シート本体２は、種々の機能を備えることが可能である。
【００２４】
また、本実施形態において、シート本体２は、矩形状の５５ｍｍ×９１ｍｍの名刺サイズの大きさおよび０．２ｍｍの厚さ寸法により構成されている。本考案に係る筆記具保持具１のシート本体２の大きさは、本実施形態の名刺サイズに限定されず、市販のメモ帳、手帳、ノート等の規格サイズにあわせて種々の大きさに構成することができる。ここで、カードケースＣや定期入れ、財布等の収納体に収納して携帯する際の携帯性の向上という観点からは、シート本体２の大きさは、名刺サイズまたはクレジットカードやキャッシュカード等のカードサイズと同一または略同一の大きさにより構成するとよい。さらに、本実施形態においてシート本体２の形状は矩形状に形成されているが、本考案に係る筆記具保持具１のシート本体２は、本実施形態の形状に限定されず、保持部５を連設可能な一縁を備えており、携帯のために挟持または収納可能であれば、どのような形状であってもよい。さらにまた、厚さ寸法も本実施形態に限定されるものではないが、強度および携帯のために挟持または収納される際に邪魔にならないという観点からは、０．１ｍｍ〜１．５ｍｍの厚さ寸法によって構成されることが好ましい。
【００２５】
ここで、本実施形態において、保持部５に挿入される筆記具３は、９１ｍｍの長さ寸法と最大径が３．３ｍｍの寸法の大きさにより構成されたシャープペンが用いられており、シート本体２の一側縁の長さ寸法と同一の長さ寸法の筆記具３が用いられている。なお、本考案に係る筆記具保持具１に用いられる筆記具３の大きさは、本実施形態の大きさに限定されるものではないが、筆記具３としての使用性能の維持、およびカードケースＣ等の収納体に収納して携帯する際の携帯性の向上という観点からは、長さ寸法が名刺サイズまたはカードサイズと同一または略同一の寸法、最大径が４ｍｍ〜８ｍｍの寸法の大きさによって構成されることが好ましい。
【００２６】
一方、例えば、シート本体２が暗記用シートやしおりの機能を備え、本のページの間に挟持されて携帯される場合や、メモ帳Ｍの間に挟持されて携帯される場合等には、シート本体２や筆記具３の大きさは、前述の好ましい大きさに限定されるものではない。また、シート本体２が暗記用シートの機能を備える場合には、保持部５に挿入する筆記具３として、暗記ペンを用いてもよく、さらに筆記具３としては、ボールペン、鉛筆等、種々の筆記具３を用いることができる。
【００２７】
シート本体２は、種々の樹脂材料や、紙類等、種々の材料によって構成することが可能であるが、薄さに対する強度や、製造コストの低廉化等の観点からは、ポリプロピレンや、塩化ビニール、ポリエチレンテレフタレート、ポリプロピレン樹脂を主原料とする合成紙により構成されることが好ましい。
【００２８】
また、保持部５は、矩形状のシート本体２の一側縁に連設されており、シート本体２と保持部５とは、同一素材により連続して形成されていることが、筆記具保持具１の製造の容易化、製造コストの低廉化の観点から好ましい。本実施形態においては、シート本体２および保持部５は、ポリプロピレンにより構成されており、シート本体２の一側縁から延設された延設部の一側縁を、シート本体２における一側縁に沿うように熱圧着させることにより、シート本体２と一体に構成されている。
【００２９】
保持部５は、筆記具３の軸部３ｄを挿通させて保持する筒状部５ｂを有している。筒状部５ｂにおける一方の開口端縁は、シート本体２の一側縁における一端縁に相当する位置に至るように設けられ、筒状部５ｂは、挿通された筆記具３の尖鋭部３ｂが露出しないように保持する長さに形成されている。そして、シート本体２の一側縁の長さ寸法と同一の長さ寸法の筆記具３を、筆記具３の尖鋭部３ｂから、保持部５における他方の開口端縁側の開口部を介して保持部５の内部に挿入すると、筆記具３は尖鋭部３ｂまで保持部５の内部に配置されるようになっている。
【００３０】
また、保持部５の他方の開口端縁は、シート本体２の一側縁における他端縁に相当する位置よりも一端縁側に位置するように設けられている。これにより、保持部５の長さ寸法は、シート本体２の一側縁よりも短い寸法で形成され、シート本体２の一側縁における他端部分は、開放されている。そして、シート本体２の一側縁の長さ寸法と同一の長さ寸法の筆記具３を、筆記具３の尖鋭部３ｂから、保持部５における他方の開口端縁側の開口部を介して保持部５の内部に挿入すると、尖鋭部３ｂと反対側のキャップ部３ｃは、保持部５から露出し、シート本体２における一側縁が開放された部分に配置されるようになっている。
【００３１】
保持部５における筒状部５ｂの他端側の開口縁には、筆記具保持具１の平面側に筆記具３のクリップ３ａが係止される係止部５ａが切り欠き形成されている。この係止部５ａの形成位置は、本実施形態の形成位置に限定されるものではなく、筆記具保持具１の側縁側に形成してもよい。また、本考案に係る筆記具保持具１において、係止部５ａは切り欠きによって形成されることに限定されず、例えば、開口端縁に突起部を設けることにより、クリップ３ａを係止させるようにしてもよいが、係止部５ａの成形の容易性の観点からは切り欠き形成されることが好ましい。
【００３２】
なお、本考案に係る筆記具保持具１における保持部５の形状は、本実施形態の形状に限定されるものではなく、例えば、図６乃至図９に示す種々の形状に形成することができる。図６に示す筆記具保持具１は、シート本体２の一側縁における一部分から延設された延設部が、シート本体２の一側縁から突出した後にシート本体２側に折曲され、この延設部の端部がシート本体２に連結されることにより、筒状部３ｄが形成されている。図７に示す筆記具保持具１は、シート本体２の一側縁における一部分から延設された延設部が、シート本体２の一側縁に沿ってシート本体２側に折曲され、この延設部の端部がシート本体２に連結されることにより、筒状体３ｄが形成されている。図８に示す筆記具保持具１は、筒状部５ｂにおける両側の開口縁に、係止部５ａが形成されている。図９に示す筆記具１は、筒状部５ｂに筆記具３の軸部３ｄを保持部５から露出させる開口部５ｃが形成されている。さらに、保持部５の形状は筒状に限定されるものではなく例えば、図１０に示すように、シート本体２の一側縁から突出して形成された突出片５ｄによって形成し、この突出片５ｄに、筆記具３のクリップ３ａを係止させる係止孔５ｅを形成してもよい。さらには、筆記具３の周面を一対の保持部材により挟持することにより筆記具３を保持する形状に形成する等、筆記具３を保持するための種々の形状を採用することができる。
【００３３】
続いて、本実施形態に係る筆記具保持具１の作用について説明する。
【００３４】
まず、筆記具３を筆記具保持具１の保持部５における筒状部５ｂに挿通させるとともに、クリップ３ａを係止部５ａに係止させて、保持部５によって筆記具３を保持する。そして、シート本体２をカードケースＣのポケットに収納したり、あるいは、シート本体２をメモ帳Ｍの頁の間に挟んでメモ帳Ｍによりシート本体２を挟持する。これにより、本実施形態に係る筆記具保持具１を用いて保持部３に保持された筆記具３を携帯することができる。
【００３５】
このように、本実施形態によれば、シート本体２の一側縁に保持部５が連設されており、シート本体２を挟持体によって挟持したり、または収納体に収納することにより、挟持体や収納体の厚みが増してしまったり、挟持体や収納体の内部において筆記具３が邪魔になってしまうことなく、筆記具３を携帯することができる。
【００３６】
したがって、本実施形態に係る筆記具保持具１は、筆記具３の携帯性をより向上させることができる。
【００３７】
また、本実施形態に係る筆記具保持具１は、シート本体２が、携帯のために挟持または収納される機能若しくはそれ以外の機能を備えることにより、筆記具３の携帯性を向上させることができるとともに、筆記具保持具１の用途を広げることができる。
【００３８】
さらに、本実施形態に係る筆記具保持具１は、保持部５が、筆記具３の軸部３ｄを挿通させて保持する筒状部５ｂを有することにより筆記具３の軸部３ｄを筒状部５ｂに挿通させて確実に保持することができる。
【００３９】
さらに、本実施形態に係る筆記具保持具１は、筒状部５ｂの開口端縁に切り欠き形成された筆記具３のクリップ３ａを係止させる係止部５ａを備えることにより、クリップ３ａを係止部５ａに係止させて、筆記具３が保持部５の内部で回転してしまうことを防止することができる。
【００４０】
さらにまた、本実施形態に係る筆記具保持具１は、筒状部５ｂを、該筒状部５ｂに挿通された筆記具３の尖鋭部３ｂが露出しないように保持する長さに形成することにより、尖鋭部３ｂによって周囲の物を傷つけることなく筆記具３を持ち運びすることができ、筆記具３の携帯性をより向上させることができる。
【００４１】
また、本実施形態に係る筆記具保持具１は、シート本体２と保持部５とを、同一素材により連続して形成することにより、筆記具保持具１の製造の容易化、製造コストの低廉化を図ることができる。
【００４２】
さらにまた、本実施形態に係る筆記具保持具１は、シート本体２を名刺サイズまたはカードサイズと同一または略同一の大きさに構成することにより、特に、シート本体２を、カードケースＣや定期入れ、財布等のポケットに収納することができ、携帯性を向上させることができる。
【００４３】
また、本実施形態に係る筆記具保持具１は、シート本体２がポリプロピレンによって構成されることにより、厚さに対する強度を向上させることができるとともに、筆記具保持具１の製造コストの低廉化を図ることができる。
【００４４】
なお、本考案は前記実施形態に限定されるものではなく、必要に応じて種々変更することが可能である。
【符号の説明】
【００４５】
１  筆記具保持具
２  シート本体
３  筆記具
３ａ  クリップ
３ｂ  尖鋭部
３ｃ  キャップ
５  保持部
５ａ  係止部
【図１】
0003181877.tif 000003
【図２】
0003181877.tif 000004
【図３】
0003181877.tif 000005
【図４】
0003181877.tif 000006
【図５】
0003181877.tif 000007
【図６】
0003181877.tif 000008
【図７】
0003181877.tif 000009
【図８】
0003181877.tif 000010
【図９】
0003181877.tif 000011
【図１０】
0003181877.tif 000012
【手続補正書】
【提出日】平成24年12月27日(2012.12.27)
【手続補正１】
【補正対象書類名】実用新案登録請求の範囲
【補正対象項目名】全文
【補正方法】変更
【補正の内容】
【実用新案登録請求の範囲】
【請求項１】
携帯機能を有し薄膜状であって所定の大きさを備えたシート本体と、前記シート本体の一縁に連設され、筆記具を保持する保持部とを有し、前記保持部は、前記筆記具の軸部を挿通させることにより前記筆記具を保持する筒状部を備えていることを特徴とする筆記具保持具。
【請求項２】
携帯機能を有し薄膜状であって所定の大きさを備えたシート本体と、前記シート本体の一縁に連設され、筆記具を保持する保持部とを有し、前記保持部は、前記シート本体の一側縁から突出して形成され、前記筆記具のクリップを係止させることにより前記筆記具を保持する突出片、または前記筆記具の周面を挟持することにより前記筆記具を保持する一対の保持部材を備えていることを特徴とする筆記具保持具。
【請求項３】
前記シート本体は、フレンネルルーペ、暗記用シート、しおり、身分証、または会員証により構成されていることを特徴とする請求項１または請求項２に記載の筆記具保持具。
【請求項４】
前記筆記具として、クリップを備えた筆記具を用い、前記筒状部の開口端縁に、前記クリップが係止される係止部が形成されていることを特徴とする請求項１または請求項３に記載の筆記具保持具。
【請求項５】
前記筒状部は、挿通された前記筆記具の尖鋭部が露出しないように保持する長さに形成されていることを特徴とする請求項１、請求項３および請求項４のいずれか１項に記載の筆記具保持具
【請求項６】
前記シート本体と前記保持部とは、同一素材により連続して形成されていることを特徴とする請求項１乃至請求項５のいずれか１項に記載の筆記具保持具。
【請求項７】
前記シート本体を、名刺サイズまたはカードサイズと同一または略同一の大きさにより構成することを特徴とする請求項１乃至請求項６のいずれか１項に記載の筆記具保持具。
【請求項８】
前記シート本体を、ポリプロピレン、塩化ビニール、ポリエチレンテレフタレート、またはポリプロピレン樹脂を主原料とする合成紙により構成することを特徴とする請求項１乃至請求項７のいずれか１項に記載の筆記具保持具。
【請求項９】
筆記具と、
薄膜状であって所定の大きさのシート本体、および前記シート本体の一縁に連設され、前記筆記具を保持する保持部を有し、前記保持部は、前記筆記具の軸部を挿通させることにより前記筆記具を保持する筒状部、前記シート本体の一側縁から突出して形成され、前記筆記具のクリップを係止させることにより前記筆記具を保持する突出片、または前記筆記具の周面を挟持することにより前記筆記具を保持する一対の保持部材を備えている筆記具保持具と
を有することを特徴とする携帯用保持具付き筆記具。
【手続補正２】
【補正対象書類名】明細書
【補正対象項目名】０００７
【補正方法】変更
【補正の内容】
【０００７】
前記目的を達成するため、本考案に係る筆記具保持具の特徴は、携帯機能を有し薄膜状であって所定の大きさを備えたシート本体と、前記シート本体の一縁に連設され、筆記具を保持する保持部とを有し、前記保持部は、前記筆記具の軸部を挿通させることにより前記筆記具を保持する筒状部を備えている点にある。
【手続補正３】
【補正対象書類名】明細書
【補正対象項目名】０００８
【補正方法】変更
【補正の内容】
【０００８】
この本考案に係る筆記具保持具によれば、例えば、メモ帳や本等にシート本体を挟持した場合や、カードケースや財布のポケット等にシート本体を収納した場合に、メモ帳やカードケースの厚みが増してしまったり、メモ帳やカードケースの内部において筆記具が邪魔になってしまうことなく、筆記具を携帯することができる。また、筆記具の軸部を筒状部に挿通させて確実に保持することができる。
【手続補正４】
【補正対象書類名】明細書
【補正対象項目名】０００９
【補正方法】変更
【補正の内容】
【０００９】
また、本考案に係る筆記具保持具の他の特徴は、携帯機能を有し薄膜状であって所定の大きさを備えたシート本体と、前記シート本体の一縁に連設され、筆記具を保持する保持部とを有し、前記保持部は、前記シート本体の一側縁から突出して形成され、前記筆記具のクリップを係止させることにより前記筆記具を保持する突出片、または前記筆記具の周面を挟持することにより前記筆記具を保持する一対の保持部材を備えている点にある。このような構成を採用することにより、例えば、メモ帳や本等にシート本体を挟持した場合や、カードケースや財布のポケット等にシート本体を収納した場合に、メモ帳やカードケースの厚みが増してしまったり、メモ帳やカードケースの内部において筆記具が邪魔になってしまうことなく、筆記具を携帯することができる。
【手続補正５】
【補正対象書類名】明細書
【補正対象項目名】００１０
【補正方法】変更
【補正の内容】
【００１０】
さらに、前記筆記具保持具において、前記シート本体は、フレンネルルーペ、暗記用シート、しおり、身分証、または会員証により構成されているとよい。このような構成を採用することにより、筆記具の携帯性を向上させることができるとともに、筆記具保持具の用途を広げることができる。
【手続補正６】
【補正対象書類名】明細書
【補正対象項目名】００１６
【補正方法】変更
【補正の内容】
【００１６】
前記目的を達成するため、本考案に係る携帯用保持具付筆記具の特徴は、筆記具と、薄膜状であって所定の大きさのシート本体、および前記シート本体の一縁に連設され、前記筆記具を保持する保持部を有し、前記保持部は、前記筆記具の軸部を挿通させることにより前記筆記具を保持する筒状部、前記シート本体の一側縁から突出して形成され、前記筆記具のクリップを係止させることにより前記筆記具を保持する突出片、または前記筆記具の周面を挟持することにより前記筆記具を保持する一対の保持部材を備えている筆記具保持具とを有する点にある。